(57)【要約】【課題】簡易な機構で、操作も簡潔かつ容易であり、また必要にして十分な被収納物を上昇させることにより、低い位置にある引出の使い勝手を向上させることが可能な収納庫を提供する。【解決手段】本発明に係る収納庫の代表的な構成は、被収納物を収納可能な引出１２４をスライド自在に収容可能なコンロキャビネット１２０であって、引出１２４は、内部に被収納物を載置可能な載置部材１５０をさらに有し、コンロキャビネット１２０に収納された引出１２４がコンロキャビネット１２０から引き出されることによって載置部材１５０を上昇させ、また、引出１２４がコンロキャビネット１２０へ押し込まれることによって載置部材１５０を下降させる昇降機構２１０を備え、載置部材１５０の上縁には、被収納物の一部を受け止める凹部１５１が設けられていることを特徴とする。【選択図】図４
2010183985.tif 000002
【特許請求の範囲】
【請求項１】
被収納物を収納可能な引出をスライド自在に収容可能な収納庫であって、
前記引出は、内部に被収納物を載置可能な載置部材をさらに有し、
当該収納庫に収納された前記引出が当該収納庫から引き出されることによって前記載置部材を上昇させ、また、該引出が当該収納庫へ押し込まれることによって該載置部材を下降させる昇降機構を備え、
前記載置部材の上縁には、被収納物の一部を受け止める凹部が設けられていることを特徴とする収納庫。
【請求項２】
前記載置部材の上昇に伴って前記被収納物の姿勢を変更し、該被収納物の一部を、前記凹部から離脱させて立設した状態とする変位機構をさらに備えることを特徴とする請求項１に記載の収納庫。
【請求項３】
前記被収納物の一部は、柄つき調理器具の柄であることを特徴とする請求項１または２に記載の収納庫。
【請求項４】
前記変位機構は、前記柄つき調理器具の柄を押し上げて、該柄つき調理器具の柄を前記立設した状態とすることを特徴とする請求項３に記載の収納庫。
【発明の詳細な説明】
【技術分野】
【０００１】
本発明は、システムキッチンに設けられ、被収納物を収納可能な引出をスライド自在に収容可能な収納庫に関するものである。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。近年はキッチンの使用態様の研究がすすみ、引出などに収納される被収納物をある程度想定し、引出の大きさや仕切りの形状を工夫することにより、使い勝手の向上を図ることが行われている。そのような例として、コンロを有するコンロキャビネットには鍋などを入れる大きな引出や開き戸を設けたり、調理スペースを有するベースキャビネットには食器や調理器具を入れる浅い引出を多く設けたりしている。
【０００３】
ところで天板の下に収納スペースを設けるために、必然的に引出等は低い位置となる。このため利用者は腰をかがめるか、しゃがみ込むことによって被収納物を出し入れすることになる。このことは、長時間キッチンで立ち仕事をする場合や、高齢により体に自由がきかなくなってきた場合など、使用者によっては負担に感じる場合も想定される。
【０００４】
そこで従来からも、低い位置の引出に対して、被収納物の出し入れを容易とするための工夫が検討されていた。特許文献１には、引出の昇降機構を備えたキャビネットの構成が開示されている。なお特許文献１では、引出を完全に引き出した状態でのみ昇降させることにより、引出とキャビネット本体とが衝突することを防止することを特徴としている。
【先行技術文献】
【特許文献】
【０００５】
【特許文献１】特開２００７−２１５６７８号公報
【発明の概要】
【発明が解決しようとする課題】
【０００６】
上記特許文献１に開示された構成においては、引出の位置が高くなるために確かに被収納物を取り出しやすくなると考えられるが、引出の全体を回転させながら上昇させる構成である。しかしながら、引出は木製や金属製の前板や、底板、側板などから構成されていて、何も収容していなくてもかなりの重量を有している。まして引出の中に様々な被収納物を収納すると、これを回転させるために必要な労力は、逐一屈むよりも多大なものとなってしまいかねない。とりわけ、コンロを有するコンロキャビネットには鍋やフライパンなどの重量の大きな調理器具を収納する必要があり、これらの調理器具を収容した引出を上昇させるには、大きな労力を要する。ここでエアシリンダや電動モータなどによって持ち上げる力を補助することも考えられるが、機構が複雑となり、キッチンの生産コストの高騰を招いたり、機構が収容スペースを圧迫したりして本末転倒となるおそれがある。
【０００７】
また、フライパンなどの柄つき調理器具は、重量もさることながら、その平坦で広い形状や長く伸びた柄によって、引出の底板に収納すれば、相当に広い範囲を占有してしまう。しかも、かかる調理器具の上に重ねて物を置くことは、調理器具が取り出しにくくなって望ましくないため、空間効率が著しく悪い。したがって、フライパンなどの調理器具は、引出に収容できない場合には、収納庫の中でなく、壁付けされたシステムキッチンの壁面に吊るすなど、収納庫の外部に保管せざるを得なかった。
【０００８】
本発明はこのような課題に鑑み、柄つき調理器具などの大きめの被収納物であっても、容易に引出内に収容可能であり、簡易な機構を簡潔かつ容易に操作して、かかる被収納物を上昇させ、取り出しやすくすることが可能な収納庫を提供することを目的としている。
【課題を解決するための手段】
【０００９】
上記課題を解決するために、本発明に係る収納庫の代表的な構成は、被収納物を収納可能な引出をスライド自在に収容可能な収納庫であって、引出は、内部に被収納物を載置可能な載置部材をさらに有し、当該収納庫に収納された引出が当該収納庫から引き出されることによって載置部材を上昇させ、また、引出が当該収納庫へ押し込まれることによって載置部材を下降させる昇降機構を備え、載置部材の上縁には、被収納物の一部を受け止める凹部が設けられていることを特徴とする。
【００１０】
上記の構成によれば、大きめの被収納物を引出内に収納するときに引出の上方にはみ出してしまいがちな被収納物の一部を、上縁に設けられた凹部に案内することで、かかる被収納物を完全に引出内に収容することが可能となる。
【００１１】
また、当該収納庫は、上記の載置部材の上昇に伴って被収納物の姿勢を変更し、被収納物の一部を、凹部から離脱させて立設した状態とする変位機構をさらに備えるとよい。
【００１２】
上記の構成によれば、載置部材が上昇する時に、凹部に案内されていた被収納物の一部を凹部から離脱させて立設した状態とし、その一部を把持して被収納物を容易に取り出すことが可能となる。
【００１３】
上記の被収納物の一部は、柄つき調理器具の柄としてよい。フライパンなどの柄つき調理器具の柄（取手）は、調理器具を収納しようとするときに、載置部材の上方にはみ出してしまいがちである。そこで、調理器具の収容時には柄が載置部材からはみ出さないようにし、調理器具の取出時には柄を載置部材からはみ出させて、これを把持して容易に調理器具を取り出すことができるようにしている。
【００１４】
上記の変位機構は、柄つき調理器具の柄を押し上げて、柄つき調理器具の柄を上述の立設した状態とするとよい。柄を押し上げる簡便な構成で、柄つき調理器具の取り出しやすさを担保するためである。
【００１５】
上記の載置部材は、天面が開放された箱状のポケットとしてよい。かかる構成によれば、引出が収納庫から引き出されることによって載置部材が上昇すると、引出内に収納された被収納物のうち、載置部材に収納された被収納物のみが上昇することとなる。したがって、昇降機構によって上昇させる被収納物の重量が低減されるため、引出を引き出すために要する力を低下させることができる。また、載置部材に被収納物を収納することができ、引出内の整理整頓が可能となる。
【発明の効果】
【００１６】
本発明によれば、柄つき調理器具などの大きめの被収納物であっても、容易に引出内に収容可能であり、簡易な機構を簡潔かつ容易に操作して、かかる被収納物を上昇させ、取り出しやすくすることが可能な収納庫を提供することができる。
【図面の簡単な説明】
【００１７】
【図１】本発明に係る収納庫の実施形態であるコンロキャビネットを備えるキッチンを示す図である。
【図２】図１のコンロキャビネットの分解斜視図である。
【図３】図２の載置部材と支持部材とを引出に取り付けた状態を示す図である。
【図４】図３の載置部材を説明する図である。
【図５】図２のアーム、プーリおよびレールを説明する図である。
【図６】図２の昇降機構とこれに連動する変位機構とを説明する図である。
【図７】図６の載置部材にフライパンを収納した場合の柄の変位を示す図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（キッチン）
図１は本発明に係る収納庫の実施形態であるコンロキャビネット１２０を備えるキッチンを示す図である。キッチン１００は一枚の天板１１０（ワークトップ）の下に複数の収納庫すなわちキャビネット１２０、１３０、１４０を備えた、いわゆるシステムキッチンである。天板１１０は合成樹脂（人工大理石）やステンレスなどからなり、キッチン１００の全体の上面を覆っている。
【００２０】
天板１１０には、組み込み式に取り付けられたコンロ１１２、調理スペース１１４、天板１１０に一体形成されたシンク１１６が設けられる。シンク１１６とコンロ１１２の間に位置する調理スペース１１４は平坦なテーブル面であり、主に調理を行うのに利用される。
【００２１】
天板１１０の下は、コンロ１１２本体が設置されているコンロキャビネット１２０と、調理スペース１１４に対応したベースキャビネット１３０と、シンク１１６が設置されているシンクキャビネット１４０といった各キャビネットで構成される。各キャビネットは収納スペースとして機能し、キャビネット内の空きスペースには、コンロ１１２への配線や、シンク１１６および水栓への給排水管なども収容されている。このように、天板１１０の下では、天板１１０の上のシンク１１６やコンロ１１２といった各構成に対応したキャビネットがその高さおよび奥行きを等しくして複数設けられている。
【００２２】
各キャビネットは、被収納物を収納するために、様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボウルなどの比較的大きな調理器具を収納することが可能になっている。またコンロキャビネット１２０の下部の床近傍には、引出式の足元収納であるフロアコンテナ１２６が配設されている。
【００２３】
同様に、ベースキャビネット１３０には複数の比較的小さな引出１３２、１３４およびフロアコンテナ１３６が備え付けられている。シンクキャビネット１４０にはフロアコンテナ１４６から天板１１０に到る高い前板を備えた引出１４４が備え付けられている。
【００２４】
次に、本発明に係る収納庫の実施形態を、上記したコンロキャビネット１２０、ベースキャビネット１３０、シンクキャビネット１４０のうち、コンロキャビネット１２０を例にとって説明する。
【００２５】
（コンロキャビネット）
図２は図１のコンロキャビネットの分解斜視図であり、図３は図２の載置部材と支持部材とを引出に取り付けた状態を示す図である。上述したように、コンロキャビネット１２０には上段の引出１２２、中段の引出１２４、下段のフロアコンテナ１２６がスライド自在に収容される。なお便宜上、コンロ１１２は図示を省略している。
【００２６】
そして中段の引出１２４には、その内部にさらに被収納物を載置可能な載置部材１５０を配置している。載置部材１５０は、昇降機構２１０によって上下移動可能となっている。昇降機構２１０は、支持部材１６０とレール１９４とから構成される。支持部材１６０は、摺動部材１６４と、梁１６２ａ、１６２ｂと、摺動部材１６４から奥側に向かって連結されたアーム１６８と、アーム１６８の奥側に設けられた複数のプーリ１７０、１７２とを有している。一方、レール１９４は、コンロキャビネット１２０内の壁板に配置されている。支持部材１６０の各要素およびレールは引出の左右方向に対称に構成されていて、梁１６２ａ、１６２ｂを除いて左右両側にそれぞれ２つ（鏡面対称に）配置されている。なお、引出１２２、１２４、１２６そのものを出し入れするためのレール機構は一般的なものでよいため、図示を省略している。
【００２７】
（載置部材）
図４は図３の載置部材を説明する図である。載置部材１５０は、天面が開放された箱状のいわゆるポケット形状を有する。かかる構成によれば、載置部材１５０に被収納物を収納することができ、引出１２４内の整理整頓が可能となる。
【００２８】
また、引出１２４がコンロキャビネット１２０から引き出されることによって、後述の昇降機構２１０によって載置部材１５０が上昇すると、引出１２４内に収納された被収納物のうち、載置部材１５０に収納された被収納物のみが上昇することとなる。
【００２９】
これにより昇降機構２１０によって上昇させる被収納物の重量が低減され、引出１２４を引き出すために要する力を低下させることができる。本実施形態であるコンロキャビネット１２０には、フライパンや鍋などの柄つき調理器具、ボウルやざるなどの大型の食品用容器が収納され、引出１２４全体の重量は大きくなることが想定されるため、上昇させる被収納物の重量の低減による効果は大きい。
【００３０】
本実施形態においては載置部材１５０の上縁の一辺に鈎状のＬ字部１５２が形成されていて、図３に示すようにＬ字部１５２を支持部材の梁１６２ａに吊下することによって載置部材１５０が支持部材１６０に対して着脱可能に構成されている。これにより、載置部材１５０が交換可能となるため、形状や容積、取り付ける個数などを選択することができる。また載置部材１５０を取り外せることから、清掃も容易となる。
【００３１】
載置部材１５０の最大の特徴は、その上縁に、被収納物の一部を受け止める凹部１５１が設けられていることである。本実施形態では、凹部１５１は、図４（ａ）に示すように、載置部材１５０の両側面の上縁に設けられている。これは、図４（ｂ）に示すように、フライパン１５３ａ、１５３ｂなどの柄つき調理器具を載置部材１５０に収納した場合に、その柄１５５ａ、１５５ｂを受け止めるためである。載置部材１５０に収納される柄つき調理器具は、フライパン１５３ａ、１５３ｂに限られず、鍋その他の柄（取手）のついたあらゆる調理器具としてよい。
【００３２】
上記の構成によれば、大きめの被収納物を引出内に収納するときに引出の上方にはみ出してしまいがちな被収納物の一部を、上縁に設けられた凹部１５１に案内することで、かかる被収納物を完全に引出内に収容することが可能となる。
【００３３】
とりわけ、フライパン１５３ａ、１５３ｂなどの柄つき調理器具の柄（取手）は、調理器具を収納しようとするときに、載置部材１５０の上方にはみ出してしまいがちである。そこで、調理器具の収容時には柄１５５ａ、１５５ｂが載置部材１５０からはみ出さないようにし、調理器具の取出時には柄１５５ａ、１５５ｂを載置部材からはみ出させて、これを把持して容易に調理器具を取り出すことができるようにしている。
【００３４】
摺動部材１６４は引出１２４の両側に配置され、これらを２つの梁１６２ａ、１６２ｂで接続することによって、載置部材１５０を収容する枠体を形成している。下側の梁１６２ｂは、枠体の剛性を高めると共に、載置部材１５０の後面を支持して、回転してしまうことを防止している。
【００３５】
摺動部材１６４は、引出１２２に固定設置される柱部材１６６によって上下方向に摺動可能に構成されている。これにより支持部材１６０全体および載置部材が、柱部材１６６に対して上下方向に摺動可能である。柱部材１６６は、引出１２４の前板１２４ａの後面に固定設置される。
【００３６】
図５は図２のアーム、プーリおよびレールを説明する図である。図５（ａ）に示すように、アーム１６８は摺動部材１６４から奥側に向かって延長するように接続されている。本実施形態においてアーム１６８は樹脂部１６８ａと金属部１６８ｂとからなり、樹脂部１６８ａの奥側先端に下プーリ１７２と金属部１６８ｂを固定している。金属部１６８ｂの奥側先端は上方にＬ字状に屈曲していて、上プーリ１７０を高い位置に設置している。なお樹脂部１６８ａと金属部１６８ｂを一体の樹脂または金属で形成してもよい。
【００３７】
図５（ｂ）に示すレール１９４は、コンロキャビネット１２０内の壁板に配置されていて、プーリ１７０、１７２を案内する。レール１９４は、その中央部に前側に向かって上昇する傾斜部１９４ｂを有している。傾斜部１９４ｂより前側には、略水平にプーリ１７０、１７２を案内する前側水平部１９４ｃを有している。傾斜部１９４ｂより奥側には、略水平にプーリを案内する奥側水平部１９４ａを有している。
【００３８】
本実施形態において奥側水平部１９４ａ、傾斜部１９４ｂ、前側水平部１９４ｃは概ね直線であり、その交点（屈曲点）はアールが付けられている。アールの曲率半径は、プーリ１７０、１７２の半径よりも大きい（曲がりが緩やかである）ことが好ましい。ただし、さらに傾斜部１９４ｂをＳ字を描くような滑らかな曲線としたり、奥側水平部１９４ａや前側水平部１９４ｃも傾斜、屈曲、ないしは湾曲させたりすることを除外するものではない。
【００３９】
複数のプーリ１７０、１７２は、アーム１６８が略水平の姿勢となるように、レール１９４を挟むように配置されている。詳しくは、上プーリ１７０はレールの上側かつ奥側よりに配置され、下プーリ１７２はレール１９４の下側且つ前側よりに配置されている。上プーリ１７０と下プーリ１７２の水平方向の間隔Ｄ１は、レール１９４の傾斜部の水平方向の幅Ｗ１とほぼ等しい。また上プーリ１７０と下プーリ１７２の高さ方向の間隔Ｄ２は、レール１９４の奥側水平部１９４ａまたは前側水平部１９４ｃの高さ方向の幅Ｗ２とほぼ等しい。
【００４０】
このようにプーリ１７０、１７２とレール１９４の配置と形状を構成したことにより、２つのプーリを同時に上下に案内することができると共に、アーム１６８の水平を保ったまま昇降させることができる。また、プーリ１７０、１７２とアーム１６８の組み合わせにより、アーム１６８の前側が上方に回動する方向において略水平の姿勢で上死点（可動範囲の上端）となるが、アーム１６８の前側が下方に回動する方向には回動可能である（ただし、摺動部材１６４と柱部材１６６の上下摺動により回動が制限される）。そして、バネ（図示しない）によって支持部材１６０を上方に付勢して姿勢を規定することにより、支持部材１６０のがたつきを吸収できるため、剛性感および高級感を得ることができる。
【００４１】
なおアーム１６８の水平を保つためには、プーリ１７０、１７２の水平方向の間隔Ｄ１を広く取ることが好ましく、これに応じてレール１９４の傾斜部１９４ｂの水平方向の幅Ｗ１も広くなる。この場合において、図２や図５に示すように、傾斜部１９４ｂは中抜きした平行レールとすることができる。これによりレール１９４の重量および材料コストを低減することができる。
【００４２】
（昇降機構）
図６は図２の昇降機構とこれに連動する変位機構とを説明する図である。昇降機構２１０は、引出１２４がコンロキャビネット１２０から引き出されることによって載置部材１５０を上昇させ、また、引出１２４がコンロキャビネット１２０へ押し込まれることによって載置部材１５０を下降させる。以下、ベースキャビネット１３０を例として、引出１２４を出し入れした場合の載置部材１５０の昇降機構２１０について説明する。なお、図６においては、理解を容易にするために側板の図示を省略する。
【００４３】
図６（ａ）は引出１２４が収納されている状態を示している。このときプーリ１７０、１７２はレール１９０の奥側水平部１９０ａにある。
【００４４】
図６（ｂ）は引出１２４が少し引き出された状態を示している。上プーリ１７０がレール１９０の奥側水平部１９０ａと傾斜部１９０ｂとの交点である上昇起点にあり、下プーリ１７２も奥側水平部１９４ａと傾斜部１９０ｂとの交点である下側角部にある。これによりさらに引出１２４を引き出すことにより、支持部材１８０は上昇を開始する。
【００４５】
図６（ｃ）は引出１２４をさらに引き出した状態を示している。上プーリ１７０はおよび下プーリ１７２は、傾斜部１９０ｂにあるため、引出１２４を引き出すに伴ってアーム１８６が上昇し、支持部材１８０および載置部材１５０も上昇する。すなわち、引出１２４を引き出す力が、載置部材１５０を上昇させる力に変換される。
【００４６】
図６（ｄ）は引出１２４を概ね引き出した状態を示している。このときプーリ１７０、１７２はレール１９０の前側水平部１９０ｃにある。これにより、引出１２４を引き出した状態において載置部材１５０の重量を前側水平部１９０ｃが支持することとなり、引出１２４が戻ってしまうことを防ぐことができる。なお、前側水平部１９０ｃの前側先端は、下面に滑らかな傾斜面を有している。これは下プーリ１７２がレール１９０より突出した後に戻る際に、レール１９０の下側に入りやすくするためである。
【００４７】
引出１２４をベースキャビネット１３０に収納する場合は、上記の逆の動作となる。引出１２４を引き出された状態から押し込むと、図６（ｃ）に示すようにプーリ１７０、１７２が傾斜部１９０ｂにさしかかる。すると、プーリ１７０、１７２が傾斜部１９０ｂに案内されて下降するため、アーム１８６が水平の姿勢を保ったまま引き下げられる。これにより、単に引出１２４を押し込む操作によって、支持部材１８０、延いては載置部材１５０が下降する。
【００４８】
さらに引出１２４を押し込んで、図６（ｂ）に示すようにプーリ１７０、１７２が上昇起点まで到達すると、この時点で載置部材１５０は最も下降した状態となる。このように、引出１２４を完全に収容させる前に載置部材１５０は可動範囲の下端に到達し、載置部材１５０に載置した被収納物が上段の引出１３２や壁面等に衝突することを防ぐことができる。
【００４９】
故に、上記構成によれば、レール１９０とプーリ１７０、１７２を用いた簡易な機構で、引出１２４の内部に配置された載置部材１５０を昇降させることができ、載置部材１５０に収納した被収納物を上昇させて取り出しやすくすることができる。このとき、引出１２４を出し入れする操作に伴って載置部材１５０が昇降するため、操作が簡潔かつ容易である。また、被収納物を屈まずに取り出すために必要にして十分な高さに上昇させることにより、低い位置にある引出の使い勝手を向上させることができる。
【００５０】
（変位機構）
本実施形態では、コンロキャビネット１２０は、載置部材１５０の上昇に伴って被収納物の姿勢を変更し、被収納物の一部を、凹部１５１から離脱させて立設した状態とする変位機構２２０をさらに備えている。
【００５１】
図６に例示するように、変位機構２２０は、複数の回転自在な関節２２２、２２４、２２６を有するリンク機構で構成されている。具体的には、変位機構２２０は、引出１２４の底板に埋設された関節２２２を有するシャフト２３０と、シャフト２３０に関節２２４を介して接続されたシャフト２４０と、シャフト２４０に関節２２６を介して接続された略「く」の字型の屈曲材２５０とを含む。屈曲材２５０は、支点２２８にて、載置部材１５０に回転自在に固定されている。
【００５２】
上記の構成によれば、図６（ａ）〜（ｄ）に示すように載置部材１５０が上昇すると、図６（ａ）（ｂ）にて折り畳まれていた変位機構２２０が、支点２２８を介して引っ張られ、図６（ｃ）（ｄ）に示すように展開する。
【００５３】
図７は図６の載置部材１５０にフライパン１５３ａを収納した場合の柄の変位を示す図である。図７では便宜上、変位機構２２０のうち屈曲材２５０だけを図示し、その他の部分は図示を省略している。図７（ａ）は図６（ａ）（ｂ）、図７（ｂ）は図６（ｃ）、図７（ｃ）は図６（ｄ）に、それぞれ対応する。当初、図７（ａ）のように屈曲材２５０の先端部は凹部１５１の下端近傍に位置していて、載置部材１５０の上昇に連動して、図７（ｂ）のように凹部１５１を下方から上方へスイープする。この際、フライパン１５３ａの柄１５５ａが屈曲材２５０の先端によって押し上げられる。
【００５４】
そして最終的には、凹部１５１に案内されていた被収納物の一部（フライパン１５３ａの柄１５５ａ）を凹部１５１から離脱させて、図７（ｃ）に示すように立設した状態とし、柄１５５ａを把持してフライパン１５３ａを容易に取り出すことが可能となる。かかる変位機構２２０を載置部材１５０の両側面に設けてもよいことは言うまでもない。本実施形態では、このような、柄を押し上げる簡便な構成で、柄つき調理器具の取り出しやすさを担保している。
【００５５】
なお、上記実施形態においてはコンロキャビネット１２０の引出１２４について説明したが、他の引出１２２やフロアコンテナ１２６に載置部材１５０を設けてもよく、また他の収納庫であるベースキャビネット１３０やシンクキャビネット１４０の引出に載置部材１５０を設けてもよい。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、システムキッチンに設けられ、被収納物を収納可能な引出をスライド自在に収容可能な収納庫に利用することができる。
【符号の説明】
【００５８】
１００…システムキッチン、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６、１３６、１４６…フロアコンテナ、１３０…ベースキャビネット、１２２、１２４…引出、１２４ａ…前板、１４０…シンクキャビネット、１４４…引出、１５０…載置部材、１５１…凹部、１５２…Ｌ字部、１５３ａ、１５３ｂ  …フライパン、１５５ａ、１５５ｂ  …柄、１６０…支持部材、１６２ａ、１６２ｂ…梁、１６４…摺動部材、１６６…柱部材、１６８…アーム、１６８ａ…樹脂部、１６８ｂ…金属部、１７０…上プーリ、１７２…下プーリ、１９４…レール、１９４ａ…奥側水平部、１９４ｂ…傾斜部、１９４ｃ…前側水平部、２１０…昇降機構、２２０  …変位機構、２５０  …屈曲材
【図１】
2010183985.tif 000003
【図２】
2010183985.tif 000004
【図３】
2010183985.tif 000005
【図４】
2010183985.tif 000006
【図５】
2010183985.tif 000007
【図６】
2010183985.tif 000008
【図７】
2010183985.tif 000009
【手続補正書】
【提出日】平成21年3月5日(2009.3.5)
【手続補正１】
【補正対象書類名】明細書
【補正対象項目名】００２２
【補正方法】変更
【補正の内容】
【００２２】
各キャビネットは、被収納物を収納するために、様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボウルなどの比較的大きな調理器具を収納することが可能になっている。またコンロキャビネット１２０の下部の床近傍には、引出式の足元収納庫１２６が配設されている。
【手続補正２】
【補正対象書類名】明細書
【補正対象項目名】００２３
【補正方法】変更
【補正の内容】
【００２３】
同様に、ベースキャビネット１３０には複数の比較的小さな引出１３２、１３４および足元収納庫１３６が備え付けられている。シンクキャビネット１４０には足元収納庫１４６から天板１１０に到る高い前板を備えた引出１４４が備え付けられている。
【手続補正３】
【補正対象書類名】明細書
【補正対象項目名】００２５
【補正方法】変更
【補正の内容】
【００２５】
（コンロキャビネット）
図２は図１のコンロキャビネットの分解斜視図であり、図３は図２の載置部材と支持部材とを引出に取り付けた状態を示す図である。上述したように、コンロキャビネット１２０には上段の引出１２２、中段の引出１２４、下段の足元収納庫１２６がスライド自在に収容される。なお便宜上、コンロ１１２は図示を省略している。
【手続補正４】
【補正対象書類名】明細書
【補正対象項目名】００５５
【補正方法】変更
【補正の内容】
【００５５】
なお、上記実施形態においてはコンロキャビネット１２０の引出１２４について説明したが、他の引出１２２や足元収納庫１２６に載置部材１５０を設けてもよく、また他の収納庫であるベースキャビネット１３０やシンクキャビネット１４０の引出に載置部材１５０を設けてもよい。
【手続補正５】
【補正対象書類名】明細書
【補正対象項目名】００５８
【補正方法】変更
【補正の内容】
【００５８】
１００…システムキッチン、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６、１３６、１４６…足元収納庫、１３０…ベースキャビネット、１２２、１２４…引出、１２４ａ…前板、１４０…シンクキャビネット、１４４…引出、１５０…載置部材、１５１…凹部、１５２…Ｌ字部、１５３ａ、１５３ｂ  …フライパン、１５５ａ、１５５ｂ  …柄、１６０…支持部材、１６２ａ、１６２ｂ…梁、１６４…摺動部材、１６６…柱部材、１６８…アーム、１６８ａ…樹脂部、１６８ｂ…金属部、１７０…上プーリ、１７２…下プーリ、１９４…レール、１９４ａ…奥側水平部、１９４ｂ…傾斜部、１９４ｃ…前側水平部、２１０…昇降機構、２２０  …変位機構、２５０  …屈曲材